(57)【特許請求の範囲】
【請求項１】
復水の流入口と還元口を設けた復水溜容器に、高圧操作流体の導入口と循環口を形成すると共に、水位と共に浮上降下するフロ―ト手段を配置して、前記フロ―ト手段の変位に応じて前記高圧操作流体の導入口と循環口とを開閉して復水を圧送し回収する復水回収装置であって、
前記復水の流入口及び前記高圧操作流体の循環口を熱交換式復水集合タンクと接続し、
前記熱交換式復水集合タンクに熱交換用の冷却水供給管を接続し、
前記冷却水供給管に温度応動弁を取り付け、
前記熱交換式復水集合タンクに大気連通管を接続し、
前記大気連通管に前記温度応動弁を開閉する温度検出部材を取り付け、
前記温度応動弁は、前記温度検出部材が前記大気連通管内の検出温度値が所定値よりも高いことを検知すると開弁して、前記冷却水供給管から冷却水を供給させ、
前記フロート手段が下方部に位置する場合、前記導入口を閉口して前記循環口を開口することにより、前記熱交換式復水集合タンクの下部に溜まった復水を復水溜容器に流下させる、復水回収装置。

【発明の詳細な説明】
【技術分野】
【０００１】
本発明は、蒸気使用機器で発生した蒸気の凝縮水としての復水を、ボイラーや給水タンク等の所定の復水回収先へ回収する復水回収装置に関する。
【背景技術】
【０００２】
従来の復水回収装置は、蒸気使用機器の復水出口側を蒸気トラップと復水集合タンクと逆止弁を介して復水圧送部材に接続し、この復水圧送部材の高圧操作流体排出口に圧力制御弁を取り付けたもので、熱エネルギー損失を少なくすることができるものである。
【０００３】
この復水回収装置においては、通常、復水集合タンクに大気連通管を接続して、復水集合タンク内で復水が再蒸発した再蒸発蒸気を、この大気連通管から大気中へ排出しているために、蒸気損失すなわち熱損失が発生してしまう問題があった。
【先行技術文献】
【特許文献】
【０００４】
【特許文献１】特開２００８−１７０１２６号公報
【発明の概要】
【発明が解決しようとする課題】
【０００５】
解決しようとする課題は、復水集合タンクから大気中への蒸気損失すなわち熱損失を少なくすることのできる復水回収装置を提供すること。
【課題を解決するための手段】
【０００６】
本発明は、復水の流入口と還元口を設けた復水溜容器と、該復水溜容器に高圧操作流体の導入口と循環口を形成すると共に、水位と共に浮上降下するフロ―ト手段を配置して、該フロ―ト手段の変位に応じて上記高圧操作流体の導入口と循環口とを開閉して復水を圧送し回収するものにおいて、復水の流入口を熱交換式復水集合タンクと接続して、当該熱交換式復水集合タンクに熱交換用の冷却水供給管を接続して、当該冷却水供給管に温度応動弁を取り付け、上記熱交換式復水集合タンクに大気連通管を接続して、当該大気連通管に上記温度応動弁の温度検出部材を取り付けたものである。
【発明の効果】
【０００７】
本発明の復水回収装置は、熱交換式復水集合タンクに熱交換用の冷却水供給管を接続して、この冷却水供給管に温度応動弁を取り付け、熱交換式復水集合タンクに大気連通管を接続して、この大気連通管に温度応動弁の温度検出部材を取り付けて、大気連通管内の再蒸発蒸気の温度が高い場合に、温度応動弁から大量の冷却水を冷却水供給管へ供給することによって、再蒸発蒸気の熱を奪って凝縮させることで、再蒸発蒸気の量を減少させ、熱交換式復水集合タンクから大気中への蒸気損失すなわち熱損失を少なくすることができる。
【図面の簡単な説明】
【０００８】
【図１】本発明の復水回収装置の実施例を示す構成図。
【発明を実施するための最良の形態】
【０００９】
本発明の復水回収装置の熱交換式復水集合タンクは、タンク内へ流入する復水と再蒸発蒸気の混合流体と、コイル状の冷却水パイプとが間接的に熱交換するものを用いることができる。
【実施例１】
【００１０】
図１において、復水溜容器５と、熱交換式復水集合タンク１と、熱交換式復水集合タンク１内に配置した大気連通管６とで復水回収装置を構成する。
【００１１】
熱交換式復水集合タンク１内の中心部に円筒パイプ状で上下端開放状態の大気連通管６を設ける。大気連通管６の外周に、銅製長尺パイプをコイル状に形成した冷却流体管３を配置し、この冷却流体管３の下端に冷却水供給管７を接続すると共に、上端を温水排出管８と接続する。冷却水供給管７から供給される冷却水が、冷却流体管３を通って排出管８へと至るものである。冷却水供給管７に温度応動弁１３を取り付ける。また、大気連通管６の上端部に温度検出部材としての感温筒１２を取り付ける。感温筒１２と温度応動弁１３は図示しないキャピラリーチューブで接続することで、感温筒１２での検出温度を、温度応動弁１３へ伝達して、温度応動弁１３を開閉弁することができるものである。
【００１２】
大気連通管６の内部下方に、上端開放状態のオーバーフロー管９を配置する。オーバーフロー管９の上端１１を大気連通管６の底部より所定距離だけ高い位置に開口する。
【００１３】
熱交換式復水集合タンク１の上部に復水流入管２を接続する。復水流入管２の左端部は、図示しない蒸気使用機器の出口側と接続して、この蒸気使用機器で発生した復水が、復水流入管２から熱交換式復水集合タンク１へ流入するものである。
【００１４】
熱交換式復水集合タンク１の復水溜部１０の復水は、大気連通管６内を上昇して、オーバーフロー管９の上端１１から下方に設置した復水溜容器５へと流下する。
【００１５】
復水溜容器５は、復水の流入口２５と還元口２６、及び、高圧操作流体の導入口２７と循環口２８を有し、復水の流入口２５を通路３５によってオーバーフロー管９の下部と接続する。通路３５には、一方方向の流体の通過のみを許容する逆止弁２９を取り付ける。この逆止弁２９は、オーバーフロー管９から復水溜容器５への流体の通過を許容し、反対方向の通過は阻止するものである。
【００１６】
復水溜容器５の還元口２６にも逆止弁３０を介して復水回収管３１を接続すると共に、高圧操作流体の導入口２７には高圧蒸気管３２を接続する。一方、高圧操作流体の循環口２８は均圧管３３によって熱交換式復水集合タンク１の側部と連通する。
【００１７】
復水溜容器５は、内部に配置した図示しないフロートが下方部に位置する場合に、高圧操作流体の導入口２７を閉口し、一方、高圧操作流体の循環口２８を開口して、熱交換式復水集合タンク１の下部に溜まった復水を逆止弁２９と流入口２５を通して復水溜容器５内に流下させる。そして、復水溜容器５内に復水が溜まって図示しないフロートが所定上方部に位置すると、高圧操作流体の排出口２８を閉口し、一方、高圧操作流体の導入口２７を開口して、高圧蒸気管３２から高圧圧送用蒸気を内部に流入させることにより、内部に溜まった復水を還元口２６と逆止弁３０と復水回収管３１を通して復水回収先へ圧送する。
【００１８】
復水が高圧蒸気で圧送されて液体溜容器５内の液位が低下すると、再度、高圧操作流体の導入口２７を閉口し、循環口２８を開口することにより、流入口２５から復水を内部へ流下させる。このような作動サイクルを繰り返すことにより、復水溜容器５は熱交換式復水集合タンク１からの復水を復水回収先へ圧送する。
【００１９】
熱交換式復水集合タンク１の大気連通管６内の検出温度値が所定値よりも高くなると感温筒１２が検知して温度応動弁１３を開弁して、冷却水供給管７から冷却流体管３へ多量の冷却水を供給することで、熱交換式復水集合タンク１内の再蒸発蒸気を減少させて、大気連通管６内へ上昇してくる再蒸発蒸気が大気中へ放出されることを防止して、蒸気損失すなわち熱損失を少なくすることができる。
【産業上の利用可能性】
【００２０】
本発明は、蒸気使用機器で発生した蒸気の凝縮水としての復水を、ボイラーや給水タンク等の所定の復水回収先へ回収する復水回収装置として利用することができる。
【符号の説明】
【００２１】
１  熱交換式復水集合タンク
２  復水流入管
３  冷却流体管
５  復水溜容器
６  大気連通管
７  冷却水供給管
９  オーバーフロー管
１２  感温筒
１３  温度応動弁
２５  流入口
２６  還元口
２７  導入口
２８  循環口
【図１】
0006006980.tif 000002